(57)【要約】【課題】通常の扉の解錠時は個人ＩＤによる管理を確実に行い、高いセキュリティ性を確保しつつ、停電時には特別な操作をすることなく鍵により解錠を行うことができ、鍵の保管にあまり気を遣う必要がないようにする。【解決手段】扉用ハンドル１は、認証装置９からの信号によりハンドル６を倒伏状態にロック可能な電子錠８を備えるとともに、認証装置９からの信号により作動する電子式又は鍵の操作により作動する機械式のどちらででも作動して枠体３に直接ロックする電子・機械錠１１を鍵穴１２がハンドル６の倒伏状態でハンドル６によって隠れる部位に備えている。電子錠８は電源断によりロックが解除するようになっており、通常時の解錠は認証装置９による個人ＩＤの管理が行われ、停電時は電子錠８のロックが解除してハンドル６を起立させてから回動させ、現れた鍵穴１２に鍵を差し込んで電子・機械錠１１を解錠する。【選択図】図１
2005163465.tif 000002
【特許請求の範囲】
【請求項１】
枠体に対して開閉自在な扉に取り付けられたハンドル本体にハンドルを起倒自在かつ回動自在に枢着し、前記ハンドルの回動操作に連動して係合手段が前記枠体に係脱する扉用ハンドルにおいて、前記ハンドルを倒伏状態にロック可能な電子錠を備えるとともに、電子式又は機械式のどちらででも前記ハンドルを前記係合手段と前記枠体との係合を保持する範囲で可動可能な状態にロックする、又は、前記枠体に直接ロックする電子・機械錠を前記ハンドルの倒伏状態で前記ハンドルによって隠れる部位に備え、前記電子錠は電源断によりロックを解除するようにしたことを特徴とする扉用ハンドル。
【発明の詳細な説明】
【技術分野】
【０００１】
本発明は、例えば、通信機器を収納するためのラック等の扉に取り付けられる扉用ハンドルに関する。
【背景技術】
【０００２】
通信機器を収納するためのラック等の扉に取り付けられる扉用ハンドルは、ハンドル本体にハンドルを起倒自在かつ回動自在に枢着して成り、ハンドル本体にハンドルを収納した状態でハンドルで隠れない部位に鍵によってハンドルを回動不能にロック可能な機械錠が設けられたり、外部からの信号によりソレノイドを作動させてハンドルを操作不能にロックする電子錠が設けられ、機械錠と電子錠の両方を備えてどちらででも施錠・解錠が可能なものもある（例えば、特許文献１参照。）。
【特許文献１】特開２００２−３１７５７５号公報（第３頁、第１−３図）
【発明の開示】
【発明が解決しようとする課題】
【０００３】
しかしながら、従来の機械錠と電子錠の両方を備えてどちらででも施錠・解錠ができる扉用ハンドルは、電子錠が指紋認証やＩＣカード等による個人ＩＤの認証を行って施錠・解錠を行うシステムであっても、鍵を使用すると個人ＩＤによる認証を必要とせずに解錠することができるのでセキュリティ性が低く、鍵の管理を厳重に行わなければならないという問題があった。
【課題を解決するための手段】
【０００４】
本発明は、枠体に対して開閉自在な扉に取り付けられたハンドル本体にハンドルを起倒自在かつ回動自在に枢着し、ハンドルの回動操作に連動して係合手段が枠体に係脱する扉用ハンドルにおいて、ハンドルを倒伏状態にロック可能な電子錠を備えるとともに、電子式又は機械式のどちらででもハンドルを係合手段と枠体との係合を保持する範囲で可動可能な状態にロックする、又は、枠体に直接ロックする電子・機械錠をハンドルの倒伏状態でハンドルによって隠れる部位に備え、電子錠は電源断によりロックを解除するようにしたことを特徴とする。
【発明の効果】
【０００５】
本発明の扉用ハンドルは、通常の扉の解錠時は個人ＩＤによる管理を確実に行い、高いセキュリティ性を確保しつつ、停電時には特別な操作をすることなく鍵により解錠を行うことができ、鍵の保管にあまり気を遣う必要がないという効果がある。
【発明を実施するための最良の形態】
【０００６】
扉用ハンドルは、認証装置からの信号によりハンドルを倒伏状態にロック可能な電子錠を備えるとともに、認証装置からの信号により作動する電子式又は鍵の操作により作動する機械式のどちらででも作動して枠体に直接ロックする電子・機械錠を鍵穴がハンドルの倒伏状態でハンドルによって隠れる部位に備えている。電子錠は電源断によりロックが解除するようになっており、通常時の解錠は認証装置による個人ＩＤの管理が行われ、停電時は電子錠のロックが解除してハンドルを起立させてから回動させ、現れた鍵穴に鍵を差し込んで電子・機械錠を解錠する。
【実施例１】
【０００７】
本発明に係る扉用ハンドルの実施例１を図１の添付図面に基づいて説明する。
【０００８】
扉用ハンドル１は、例えば、通信機器を収納するためのラック等の扉２に取り付けられる。扉２はラックの開口周縁を構成する枠体３に開閉自在に蝶着されている。扉用ハンドル１は、扉２に固着されるハンドル本体４と、ハンドル本体４上部のハンドル軸５を支点として起倒自在かつ回動自在に枢着されたハンドル６とを備えている。扉２の裏面から臨まれるハンドル軸５には係合手段としてのベロ７が固定され、ハンドル６の回動操作に連動してベロ７が枠体３に係脱するようになっている。
【０００９】
ハンドル本体４は電子錠８が組み付けられて外部からの信号によりハンドル６を倒伏状態にロック可能になっている。そこで、電子錠８は、例えばソレノイドが用いられ、プランジャーが突出してハンドル６に係合することによってロックする。それから、電子錠８は指紋認証やＩＣカード等により個人ＩＤの認証を行う認証装置９と信号線１０によって接続されている。また、電子錠８は電源断によりロックが解除するようになっている。
【００１０】
更に、ハンドル本体４は、外部からの信号により作動する電子式又は鍵の操作により作動する機械式のどちらででも作動して枠体３に直接ロックする電子・機械錠１１が組み付けられ、電子・機械錠１１を鍵で操作するための鍵穴１２がハンドル６を倒伏して収納された状態でハンドル６によって隠れる部位（図１の二点鎖線内）に配設している。電子・機械錠１１は出没自在な係合部１３が枠体３に係脱する構造になっている。この電子・機械錠１１も電子錠８と同じ認証装置９に信号線１０によって接続されている。
【００１１】
これにより、通常、施錠された扉２を開放するには認証装置９によって個人ＩＤの認証を行って電子錠８と電子・機械錠１１のロックを同時に解除し、ハンドル６を起立させ、それからハンドル６を回動させてベロ７と枠体３との係合を解除し、ハンドル６を手前に引くことにより扉２を開放する。
【００１２】
また、ラックの据え付け時や停電等で電子錠８の電源が停止している場合は、電子錠８のロックは解除するが、電子・機械錠１１のロックは解除しないのでセキュリティは確保されている。ここから扉２を開放する場合、電子錠８のロックは解除されているのでハンドル６を起立させ、ハンドル６を回動させてベロ７と枠体３との係合を解除する。これによって、電子・機械錠１１の鍵穴１２が現れるので鍵によって電子・機械錠１１を解錠し、ハンドル６を手前に引くことにより扉２を開放する。
【００１３】
尚、扉２を閉塞し施錠する構造は、ハンドル６をハンドル本体４に収納すると自動的に電子錠８と電子・機械錠１１がロックする構造でも良いし、ハンドル６をハンドル本体４に収納した後で認証装置９によって電子錠８と電子・機械錠１１をロックする構造でも良く、限定はない。
【００１４】
また、本実施例において、扉２の枠体３への係合手段としてハンドル軸５にベロ７を設けたが、扉の裏面にハンドルの回動操作に連動して上下動する鎖錠棒を配設し、鎖錠棒が枠体の上下に係合するようにしても良く、係合手段に限定はなく、扉用ハンドルの形状及び構造について本発明の趣旨を逸脱しない範囲で適宜に変更して実施することも可能である。
【実施例２】
【００１５】
本発明に係る扉用ハンドルの実施例２を図２の添付図面に基づいて説明する。
【００１６】
扉用ハンドル２１は、例えば、通信機器を収納するためのラック等の扉２２に取り付けられる。扉２２はラックの開口周縁を構成する枠体２３に開閉自在に蝶着されている。扉用ハンドル２１は、扉２２に固着されるハンドル本体２４と、ハンドル本体２４上部のハンドル軸２５を支点として起倒自在かつ回動自在に枢着されたハンドル２６とを備えている。扉２２の裏面から臨まれるハンドル軸２５には係合手段としてのベロ２７が固定され、ハンドル２６の回動操作に連動してベロ２７が枠体２３に係脱するようになっている。
【００１７】
ハンドル本体２４は電子錠２８が組み付けられて外部からの信号によりハンドル２６を倒伏状態にロック可能になっている。そこで、電子錠２８は、例えばソレノイドが用いられ、プランジャーが突出してハンドル２６に係合することによってロックする。それから、電子錠２８は指紋認証やＩＣカード等により個人ＩＤの認証を行う認証装置２９と信号線３０によって接続されている。また、電子錠２８は電源断によりロックが解除するようになっている。
【００１８】
更に、ハンドル本体２４は、外部からの信号により作動する電子式又は鍵の操作により作動する機械式のどちらででも作動してハンドル２６をベロ２７と枠体２４との係合を保持する範囲で回動可能な状態にロックする電子・機械錠３１が組み付けられ、電子・機械錠３１を鍵で操作するための鍵穴３２がハンドル２６を倒伏して収納された状態でハンドル２６によって隠れる部位（図２の二点鎖線内）に配設している。電子・機械錠３１は出没自在な係合部３３がハンドル軸２５に係脱する構造になっており、係合部３３が係合するハンドル軸２５の係合孔３４は、鍵穴３２が露出する程度にハンドル２６が回動できるように長溝状に形成されている。この電子・機械錠３１も電子錠２８と同じ認証装置２９に信号線３０によって接続されている。
【００１９】
これにより、通常、施錠された扉２２を開放するには認証装置２９によって個人ＩＤの認証を行って電子錠２８と電子・機械錠３１のロックを同時に解除し、ハンドル２６を起立させ、それからハンドル２６を回動させてベロ２７と枠体２３との係合を解除し、ハンドル２６を手前に引くことにより扉２２を開放する。
【００２０】
また、ラックの据え付け時や停電等で電子錠２８の電源が停止している場合は、電子錠２８のロックは解除するが、電子・機械錠３１のロックは解除しないのでセキュリティは確保されている。ここから扉２２を開放する場合、電子錠２８のロックは解除されているのでハンドル２６を起立させ、ハンドル２６を少し回動させて電子・機械錠３１の鍵穴３２を露出させ、鍵によって電子・機械錠３１のロックを解除し、ハンドル２６を回動させてベロ２７と枠体２３との係合を解除する。そしてハンドル２６を手前に引くことにより扉２２を開放する。
【００２１】
尚、扉２２を閉塞し施錠する構造は、ハンドル２６をハンドル本体２４に収納すると自動的に電子錠２８と電子・機械錠３１がロックする構造でも良いし、ハンドル２６をハンドル本体２４に収納した後で認証装置２９によって電子錠２８と電子・機械錠３１をロックする構造でも良く、限定はない。
【００２２】
また、本実施例において、扉２２の枠体２３への係合手段としてハンドル軸２５にベロ２７を設けたが、扉の裏面にハンドルの回動操作に連動して上下動する鎖錠棒を配設し、鎖錠棒が枠体の上下に係合するようにしても良く、係合手段に限定はなく、扉用ハンドルの形状及び構造について本発明の趣旨を逸脱しない範囲で適宜に変更して実施することも可能である。
【図面の簡単な説明】
【００２３】
【図１】本発明の実施例１に係る扉用ハンドルの説明図である。
【図２】本発明の実施例２に係る扉用ハンドルの説明図である。
【符号の説明】
【００２４】
１    扉用ハンドル
２    扉
３    枠体
４    ハンドル本体
５    ハンドル軸
６    ハンドル
７    ベロ
８    電子錠
９    認証装置
１０  信号線
１１  電子・機械錠
１２  鍵穴
１３  係合部
【図１】
2005163465.tif 000003
【図２】
2005163465.tif 000004